(57)【要約】【課題】  遊技者が入球した遊技球の動きを視認することができると共に、装飾性を高く保持することのできる弾球遊技機を提供する。【解決手段】  本発明は、遊技盤５の前面側において遊技球３６が入球可能なように配設された弾球遊技機の入賞装置１１，１２，２２であって、遊技盤５の前面に沿って固定され、反射性を有する後壁部３５と、入球した遊技球３６の通過空間３７を隔てて後壁部３５の前方に形成され、透過性を有する前壁部３８とを備え、前壁部３８には、透過性を有する装飾シール４０，４１が貼付されており、前壁部３８を通して、入球した遊技球３６の動きを視認可能であると共に後壁部３５に映し出された装飾シール４０，４１の絵柄を視認可能なように構成されていることを特徴とする。【選択図】  図３
2006055292.tif 000002
【特許請求の範囲】
【請求項１】
遊技盤の前面側において遊技球が入球可能なように配設された弾球遊技機の入賞装置であって、
前記遊技盤の前面に沿って固定され、反射性を有する後壁部と、
前記入球した遊技球の通過空間を隔てて前記後壁部の前方に形成され、透過性を有する前壁部と、
を備え、前記前壁部には、透過性を有する装飾シールが貼付されており、前記前壁部を通して、前記入球した遊技球の動きを視認可能であると共に前記後壁部に映し出された前記装飾シールの絵柄を視認可能なように構成されていることを特徴とする弾球遊技機の入賞装置。
【請求項２】
前記装飾シールは、前記前壁部の前後いずれか一方の面に貼付されている請求項１に記載の弾球遊技機の入賞装置。
【請求項３】
前記装飾シールは、前記前壁部の前後両方の面に貼付されている請求項１に記載の弾球遊技機の入賞装置。
【請求項４】
内部を照射可能な照明装置を備えている請求項１〜３のいずれか１の請求項に記載の弾球遊技機の入賞装置。
【発明の詳細な説明】
【技術分野】
【０００１】
本発明は、パチンコ遊技機等の弾球遊技機の入賞装置に関し、特に、入球した遊技球の動きを視認可能なように構成された弾球遊技機の入賞装置に関する。
【背景技術】
【０００２】
従来、パチンコ遊技機に代表される弾球遊技機において、遊技盤の前面側には遊技領域が形成されており、この遊技領域には、遊技釘や風車と共に、一般入賞口や始動入賞口等の入賞装置が配設されている。一般的に、これらの入賞装置は、前面側部分が不透明なプラスティックで形成されており、さらに、その表面は装飾シールにより装飾されている。
【０００３】
そして、遊技領域に弾球された遊技球は、前記遊技釘や風車によって落下軌道を変えられながら、これらの入賞装置に入球すると、遊技の進行に各種変化がもたらされるようになっている。（例えば、特許文献１参照）。
【特許文献１】特開２０００−２１７９７１号公報
【発明の開示】
【発明が解決しようとする課題】
【０００４】
しかしながら、上記した従来のパチンコ遊技機においては、入賞装置の前面側部分が不透明なプラスティックで形成されているため、入賞装置に入球した球の動きを遊技者が視認できず、入賞装置の視覚的な演出を十分に高めることができないといった問題があった。
【０００５】
また、入球した遊技球を視認できるようにするために、入賞装置の前面側部分を透明なプラスティック製にすることも考えられるが、その場合には、入賞装置の装飾性が損なわれる等の不具合が生じるおそれがあった。
【０００６】
本発明は、上記した課題を解決すべくなされたものであり、遊技者が入球した遊技球の動きを視認することができると共に、装飾性を高く保持することのできる弾球遊技機を提供しようとするものである。
【課題を解決するための手段】
【０００７】
本発明は、遊技盤５の前面側において遊技球３６が入球可能なように配設された弾球遊技機の入賞装置１１，１２，２２であって、遊技盤５の前面に沿って固定され、反射性を有する後壁部３５と、入球した遊技球３６の通過空間３７を隔てて後壁部３５の前方に形成され、透過性を有する前壁部３８とを備え、前壁部３８には、透過性を有する装飾シール４０，４１が貼付されており、前壁部３８を通して、入球した遊技球３６の動きを視認可能であると共に後壁部３５に映し出された装飾シール４０，４１の絵柄を視認可能なように構成されていることを特徴とする。
【０００８】
そして、装飾シール４０，４１は、前壁部３８の前後いずれか一方の面に貼付されていてもよく、また、装飾シール４０，４１は、前壁部３８の前後両方の面に貼付されていてもよい。
【０００９】
さらに、弾球遊技機の入賞装置１１，１２，２２は、内部を照射可能な照明装置を備えていてもよい。
【発明の効果】
【００１０】
本発明によれば、前壁部及び装飾シールはいずれも透過性を有しているため、遊技者は入賞装置に入球した球の動きを視認することができ、また、装飾シールに描かれた絵柄が後壁部に映し出され、前壁部を通して、遊技者は、その絵柄を視認することができる。したがって、入賞装置の装飾性を高く保持することができると共に入賞装置の視覚的な演出を十分に高めることができ、遊技の興趣を向上させることが可能となる。
【００１１】
また、装飾シールが前壁部の前後両方の面に貼付されている場合には、前面に貼付した装飾シールの絵柄と、後面に貼付した装飾シールの絵柄とが重なり合い、合成した絵柄が後壁部に映し出されるため、装飾性を一段と高めることができる。
【００１２】
さらに、照明装置を備えている場合には、入賞装置の内部が照射され、後壁部に映し出された絵柄を際立たせることができるため、上記した効果をさらに高めることができる等、種々の優れた効果を得ることができる。
【発明を実施するための最良の形態】
【００１３】
以下、図面を参照しつつ、本発明の実施の形態について説明する。なお、以下の説明では、本発明をパチンコ遊技機に適用した場合について例示して説明する。
【００１４】
先ず、図１及び図２を参照しつつ、本実施の形態に係るパチンコ遊技機の構成について説明する。ここで、図１は本実施の形態におけるパチンコ遊技機を示す正面図、図２はその背面図である。
【００１５】
このパチンコ遊技機は、外郭方形枠サイズに形成されて縦向きの固定保持枠を成す外枠１の開口前面に、外枠１に合わせて方形枠サイズに形成された遊技機の機体となる前枠２が、外枠１の正面左側上下に取り付けられたヒンジ金具３ａ，３ｂによって外枠２に対して開閉可能に取り付けられていると共に、外枠１の正面右側に設けられた施錠装置４により閉鎖状態に保持されるようになっている。
【００１６】
前枠２の上部領域には、遊技盤５が収容されており、遊技盤５は、所定板厚の積層合板の表面にセルを貼り付けてルーター加工した化粧版を基板とし、その前面側には、環状に取り付けられたガイドレール６に囲まれて、略円形状の遊技領域７が形成されている。遊技領域７には、その略中央部に画像表示装置８の表示部９が配置されており、画像表示装置８の表示部９の周りには、センター飾り１０や、始動入賞口１１、二連入賞口１２、通過ゲート２２、大入賞口１３等の入賞装置等がそれぞれ配設されている。そして、始動入賞口１１には入賞検出器１４が取り付けられ、大入賞口１３は特定領域（Ｖゾーン）と一般領域とに区画形成され、その特定領域には特定領域通過検出器１５が取り付けられている。また、遊技領域７の下端部には、アウト口１６が配設されており、始動入賞口１１や大入賞口１３等に入賞せずに落下したアウト球を遊技盤５の背面側から機外に排出できるようになっている。
【００１７】
前枠２の前面上部側には、遊技盤５を視認可能なように透明なガラス板１７を備えたガラス扉１８が横向き開閉可能且つ着脱可能に取り付けられ、このガラス扉１８は、常には施錠装置４により遊技盤５の前面を覆うように閉鎖状態に保持されている。また、前枠２の前面下部側であって、ガラス扉１８の下方には、球皿１９が横向き開閉可能且つ着脱可能に取り付けられ、球皿１９は、常には施錠装置（図示せず）により閉鎖状態に保持されている。この球皿１９は前面側に膨出して形成され、球皿１９には、遊技中に払い出される遊技球を貯留する球貯留部２０が設けられている。さらに、球皿１９には、その正面右側下部に発射ハンドル２１が前方に突出して取り付けられており、発射ハンドル２１を回転操作することにより、球貯留部２０から供給された遊技球が遊技領域７に発射されるようになっている。
【００１８】
一方、前枠２の背面側には、裏セット盤２３が複数のレバー２４により着脱可能に設けられており、その裏セット盤２３には、予備賞球を貯留する球貯留タンク２５、遊技球を整列状態で待機させる待機通路２６、遊技盤５での入賞状態等に基づき賞球を払い出す球払出装置２７、球払出装置２７から払い出された賞球を球皿１７に排出するための球払出通路２８等の賞球装置が装備されている。
【００１９】
さらに、裏セット盤２３には、パチンコ遊技機の作動を統括的に制御する主制御装置２９、画像表示装置８の裏側に位置して画像表示、効果音等の演出、効果ランプ等の表示制御を行うサブ制御装置３０、球払出装置２７を制御する払出制御装置３１、打球発射装置４５の発射強度や発射タイミングを制御する発射用制御装置３２等の各制御手段、及びこれらの各制御手段及び電子部品に電力を供給する電源装置３３等がそれぞれ配設されている。
【００２０】
次に、主に図３を参照しつつ、本実施の形態に係るパチンコ遊技機の始動入賞口１１について、より詳細に説明する。ここで、図３は始動入賞口１１を示す断面図である。
【００２１】
この始動入賞口１１は、遊技盤５の前面に沿って固定される後壁部３５と、入賞球３６の通過空間３７を隔てて後壁部３５の前方に平行を成して形成される前壁部３８と、遊技盤５を貫通し、入賞球３６を遊技盤５の背面側に誘導可能なように形成された入賞球誘導路３９とを主体に構成されており、内部には入賞検出器１４が水平姿勢で取り付けられている。
【００２２】
後壁部３５は、その表面が鏡面加工されており、反射性を有するのに対して、前壁部３８は、透明な樹脂材料製で、透過性を有している。さらに、前壁部３８の前面には、透過性を有する装飾シール４０が貼付されており、この装飾シール４０に描かれた絵柄は、後壁部３５に映し出されたもののみを前方から視認できるようになっており、直接には視認できないようになっている。また、図３には図示されていないが、始動入賞口１１には、その内部を照射可能なように照明装置が設けられている。
【００２３】
次に、本発明の実施の形態に係るパチンコ遊技機の作用について説明する。
【００２４】
遊技者によって遊技領域７内に打ち出された遊技球が、始動入賞口１１に入賞すると、入賞検出器１４がこれを検出し、その検出信号が主制御装置２９に送られる。この時、前壁部３８及び装飾シール４０はいずれも透過性を有しているため、遊技者は始動入賞口１１に入賞した球３６の動きを視認することができる。また、装飾シール４０に描かれた絵柄が後壁部３５に映し出され、前壁部３８及び装飾シール４０を通して、遊技者は、その絵柄を視認することができる。さらに、前記照明装置により、始動入賞口１１の内部が照射され、後壁部３５に映し出された絵柄を際立たせることができる。この結果、始動入賞口１１の装飾性を高く保持することができると共に始動入賞口１１の視覚的な演出を十分に高めることができ、遊技の興趣を向上させることが可能となる。
【００２５】
次いで、主制御装置２９は、この検出信号に基づいて、抽選用の乱数を取得して大当りの抽選を行い、上記取得した乱数が大当り用の乱数か否かを判定する。そして、この取得した乱数が大当り用の乱数であると判定された場合には、サブ制御装置３０は、その乱数の示す図柄を決定し、画像表示装置８を制御し、所要の図柄変動表示を行なった後にその決定した図柄を表示部９に停止表示させ、遊技が大当り状態にあることを報知し、通常遊技から特別遊技（大当り遊技）に移行させる。
【００２６】
このような過程を経て、特別遊技（大当り遊技）に突入すると、大入賞口１３が開放され、その大入賞口１３に遊技球が入賞した場合には１５球の賞球が遊技者に払い出される。大入賞口１３は、開放してから３０秒経過するか、或いは、１０球の入賞があるかのいずれかの事象が発生した場合に一旦閉鎖するが、大入賞口１３が開放している間に、遊技球の特定領域（Ｖゾーン）への入賞を特定領域通過検出器１５が検出した場合には、大入賞口１３は再度開放される。そして、大入賞口１３が１６回開放し終えるか、或いは、大入賞口１３の開放中に前記特定領域（Ｖゾーン）への入賞がなかった場合に、特別遊技は終了する。
【００２７】
なお、上記実施の形態では、装飾シール４０を前壁部３８の前面に貼付しているが、図４に示すように、装飾シール４１を前壁部３８の後面に貼付したり、或いは、図５に示すように、装飾シール４０，４１を前壁部３８の前後両方の面に貼付したりしてもよい。そして、装飾シール４０，４１を前壁部３８の前後両方の面に貼付した場合には、前面に貼付した装飾シール４０の絵柄と、後面に貼付した装飾シール４１の絵柄とが重なり合い、合成した絵柄が後壁部３５に映し出されるため、装飾性を一段と高めることができる。
【００２８】
また、本発明は、二連入賞口１２、通過ゲート２２、ワープ通路の入球口、一般入賞口等、始動入賞口１１以外の入賞装置にも適用することもできる。
【００２９】
さらに、上記実施の形態においては、本発明をパチンコ遊技機に適用した場合について説明したが、これは単なる例示に過ぎず、本発明は、パチンコ遊技機以外の弾球遊技機にも適用可能であることは言う迄もない。
【図面の簡単な説明】
【００３０】
【図１】本発明の実施の形態におけるパチンコ遊技機を示す正面図である。
【図２】本発明の実施の形態におけるパチンコ遊技機を示す背面図である。
【図３】本発明の実施の形態に係るパチンコ遊技機の始動入賞口を示す断面図である。
【図４】本発明の実施の形態に係るパチンコ遊技機の始動入賞口の別の例を示す断面図である。
【図５】本発明の実施の形態に係るパチンコ遊技機の始動入賞口のさらに別の例を示す断面図である。
【符号の説明】
【００３１】
５          遊技盤
１１        始動入賞口
１２        二連入賞口
２２        通過ゲート
３５        後壁部
３６        入賞球
３７        通過空間
３８        前壁部
４０        装飾シール
４１        装飾シール
【図１】
2006055292.tif 000003
【図２】
2006055292.tif 000004
【図３】
2006055292.tif 000005
【図４】
2006055292.tif 000006
【図５】
2006055292.tif 000007